(57)【要約】【課題】ユーザが使用する場合にのみ所望の機能を起動したり、機能を制限したりする。【解決手段】通信制限機能が有効になっている場合には、無線通信部に対する電力供給が断たれる状態に設定する（ステップＳ１０１，Ｓ１０２）。ユーザの手や指が携帯電話機に接触すると、脈拍センサがユーザの脈拍を検知し、脈拍判定部が脈拍を示す信号を制御部に出力する（ステップＳ１０３）。制御部に脈拍を示す信号が入力された場合には、制御部は、無線通信部に対して電力が供給される状態にする（ステップＳ１０５）。ユーザが携帯電話機が通話を行って通話を終了すると（ステップＳ１０８）、制御部は、所定時間（例えば、１０秒）を超えて、ユーザが脈拍センサに接触しているかどうかを判定する（ステップＳ１０９）。ユーザが脈拍センサに接触していると判定した場合には、制御部は、無線通信部に対して電力が供給される状態を維持する（ステップＳ１０９）。【選択図】図５
2008154028.tif 000002
【特許請求の範囲】
【請求項１】
アンテナを介して無線信号の送受信を行う無線部を備えた携帯端末装置において、
接触した使用者の脈拍を検知して脈拍検知信号を出力する脈拍検知手段と、
前記脈拍検知手段から出力された脈拍検知信号にもとづいて、携帯端末装置が有している機能にもとづく処理の開始を許可する機能許可手段とを備えた
ことを特徴とする携帯端末装置。
【請求項２】
無線部への電力供給を制御する無線部制御手段を備え、
機能許可手段は、前記無線部制御手段によって前記無線部への電力供給が断たれているときに、前記脈拍検知手段から脈拍検知信号が入力された場合に、前記無線部への電力供給を開始させる
請求項１記載の携帯端末装置。
【請求項３】
脈拍検知手段は、パルス状の脈拍検知信号を出力し、
機能許可手段は、
前記脈拍検知手段から出力されたパルス状の脈拍検知信号を所定時間に亘って計数する計数手段と、
前記計数手段による計数値があらかじめ決められたしきい値以下である場合に携帯端末装置が有している機能にもとづく処理の開始を許可する
請求項１または請求項２記載の携帯端末装置。
【請求項４】
機能許可手段は、計数手段による計数値が第１しきい値以下である場合に携帯端末装置が有している所定範囲の機能にもとづく処理の全ての開始を許可し、前記計数値が第１しきい値よりも大きい第２しきい値以下である場合に前記所定範囲の機能にもとづく処理の一部の開始を許可する
請求項３記載の携帯端末装置。
【請求項５】
脈拍検知手段は、パルス状の脈拍検知信号を出力し、
機能許可手段は、
前記脈拍検知手段から出力されたパルス状の脈拍検知信号を所定時間に亘って計数する計数手段と、
前記計数手段による計数値を過去の計数値として記憶する記憶手段と、
前記記憶手段に記憶されている過去の計数値の平均値を計算する平均値計算手段と、
前記計数手段が計数した計数値が、前記平均値計算手段が計算した平均値に対して所定量大きい値以下である場合に、携帯端末装置が有している機能にもとづく処理の開始を許可する
請求項１または請求項２記載の携帯端末装置。
【請求項６】
脈拍検知手段は、第１脈拍センサと、第２脈拍センサと、第１脈拍センサが検知した脈拍と第２脈拍センサが検知した脈拍とが同期しているときに脈拍検知信号を出力する脈拍判定部とを含む
請求項１から請求項５のうちのいずれか１項に記載の携帯端末装置。
【発明の詳細な説明】
【技術分野】
【０００１】
本発明は、無線通信を行う可搬型の端末装置であって、機能制限を行うことができる携帯端末装置に関する。
【背景技術】
【０００２】
携帯電話機等の携帯端末装置のユーザは、携帯端末装置の電源を常時オンにしていることが多い。しかし、例えば、医療施設その他の公共施設に入るときや、車両の運転を開始するときには、電源をオフすべきである。また、通信制限機能を備えた携帯端末装置を使用する場合には、通信制限機能を有効にすべきである。通信制限機能を有効にしている場合に通信制限機能を有効にする必要がなくなったときには、ユーザは、携帯端末装置の通信機能を有効にするための操作を行う。また、すぐに充電をできない場所で携帯電話機の電池残量が少なくなったときに発信専用に設定する場合など、ユーザが、携帯電話機の使用を制限する場合がある。携帯電話機の使用が制限されている状態から使用可能な状態にするために、ユーザが電源のオン操作やセルフモードのオフ操作を、手動で行う必要がある。
【０００３】
上記のような問題に対して、筐体を開いた時にのみ特定の機能の動作を可能にする折り畳み式の移動通信端末機が提案されている（例えば、特許文献１参照。）。特許文献１に記載されている移動通信端末機は、筐体が折り畳み状態から展開状態に変更されたことに応じて、自動起動の対象とされた機能を自動的に起動する。そのような機能を備えていることによって、ユーザは機能を起動させるための操作を行わなくても、ユーザが所望する機能にもとづく処理を開始させることができる。なお、以下、ユーザが所望する機能にもとづく処理を開始させることを、「機能を開始する」と表現する。
【０００４】
【特許文献１】特開２００４−１１２０４０号公報（段落００３５−００３８、図３）
【発明の開示】
【発明が解決しようとする課題】
【０００５】
しかし、特許文献１に記載されているような移動通信端末機は、ストレート型の移動通信端末機には適用できないという問題がある。また、ユーザが短時間で筐体の開閉を実行した場合、設定している機能が無駄に起動するという問題もある。
【０００６】
そこで、本発明は、形状に依存することなく、ユーザを煩わすことなく、ユーザが使用する場合にのみ所望の機能を起動したり、機能を制限したりすることができる携帯端末装置を提供することを目的とする。
【課題を解決するための手段】
【０００７】
本発明による携帯端末装置は、接触した使用者（ユーザ）の脈拍を検知して脈拍検知信号を出力する脈拍検知手段と、脈拍検知手段から出力された脈拍検知信号にもとづいて、携帯端末装置が有している機能にもとづく処理の開始を許可する機能許可手段とを備えたことを特徴とする。
【０００８】
無線部への電力供給を制御する無線部制御手段を備え、機能許可手段が、無線部制御手段によって無線部への電力供給が断たれているときに、脈拍検知手段から脈拍検知信号が入力された場合に、無線部への電力供給を開始させるように構成されていてもよい。
【０００９】
脈拍検知手段が、パルス状の脈拍検知信号を出力し、機能許可手段が、脈拍検知手段から出力されたパルス状の脈拍検知信号を所定時間に亘って計数する計数手段と、計数手段による計数値があらかじめ決められたしきい値以下である場合に携帯端末装置が有している機能にもとづく処理の開始を許可するように構成されていてもよい。そのような構成によれば、実質的に、脈拍にもとづく機能制限を実現することができる。
【００１０】
機能許可手段が、計数手段による計数値が第１しきい値以下である場合に携帯端末装置が有している所定範囲の機能（例えば、複数種類のゲーム機能）にもとづく処理の全ての開始を許可し、計数値が第１しきい値よりも大きい第２しきい値以下である場合に所定範囲の機能にもとづく処理の一部（例えば、簡易なゲーム機能にもとづく処理）の開始を許可するように構成されていてもよい。
【００１１】
脈拍検知手段は、パルス状の脈拍検知信号を出力し、機能許可手段が、脈拍検知手段から出力されたパルス状の脈拍検知信号を所定時間に亘って計数する計数手段と、計数手段による計数値を過去の計数値として記憶する記憶手段と、記憶手段に記憶されている過去の計数値の平均値を計算する平均値計算手段と、計数手段が計数した計数値が、平均値計算手段が計算した平均値に対して所定量大きい値以下（例えば、（平均値×１．１）以下）である場合に、携帯端末装置が有している機能にもとづく処理の開始を許可するように構成されていてもよい。そのような構成によれば、実質的に、脈拍にもとづく機能制限を実現することができる。
【００１２】
脈拍検知手段が、第１脈拍センサと、第２脈拍センサと、第１脈拍センサが検知した脈拍と第２脈拍センサが検知した脈拍とが同期しているときに脈拍検知信号を出力する脈拍判定部とを含んでいてもよい。そのような構成によれば、脈拍の誤判定を低減することができる。
【発明の効果】
【００１３】
本発明によれば、形状に依存することなく、ユーザが使用する場合にのみ所望の機能を起動したり、機能を制限したりすることができる。
【発明を実施するための最良の形態】
【００１４】
実施の形態１．
以下、本発明の実施の形態を図面を参照して説明する。図１は、本発明による通信制限機能付きの携帯端末装置の一例を示す斜視図である。図１に示すように、本実施の形態では、携帯端末装置が折畳式の携帯電話機１００である場合を例に説明する。また、図１（ａ）は、携帯電話機１００を開いた状態で操作部側から見た斜視図であり、図１（ｂ）は、携帯電話機１００を開いた状態で操作部側と反対の方向から見た背面図である。なお、携帯端末装置は、携帯電話機に限らず、例えばＰＤＡ等の携帯端末装置であってもよい。
【００１５】
図１に示す携帯電話機１００は、表示部３０を含む表示部側筐体２０と、複数のキーボタンを有する操作部５０を含む操作部側筐体４０とを含む。表示部側筐体２０および操作部側筐体４０は、例えば合成樹脂等を用いた剛性体によって実現される。また、表示部側筐体２０と操作部側筐体４０とは、開閉軸を有するヒンジ部６０で回動可能に接続されている。なお、「回動」とは、ある軸に対して正逆方向に円運動できることをいう。携帯電話機１００は、ヒンジ部６０を軸として、例えば表示部側筐体２０を操作部側筐体４０の側に閉じたり、開いたりすることができる。
【００１６】
携帯電話機１００は、さらに、人体が携帯電話機に触れていることを検知する脈拍センサ１１，１２を備えている。脈拍センサ１１は、操作部側筐体４０における操作部５０が含まれる側の面と略垂直になる側面に設けられている。脈拍センサ１２は、操作部５０が含まれる側の面の裏面に設けられている。脈拍センサ１１，１２は、例えば光電脈波検出回路によって実現される。
【００１７】
なお、脈拍センサ１１，１２は、図１に示された箇所とは異なる箇所に設けられていてもよいが、ユーザによって携帯電話機１００が使用される際に、ユーザの手や指と接触する箇所に配置されることが好ましい。携帯電話機１００における制御部は、脈拍センサ１１，１２が検知したユーザの脈拍にもとづいて、携帯電話機が使用中であるかどうか判定する。
【００１８】
図２は、脈拍センサ１１，１２を含む脈拍センサ部１０を備えた携帯電話機１００の内部構成例を示すブロック図である。図２に示すように、携帯電話機１００は、脈拍センサ部１０に加えて、電波の送受信を行うアンテナ７０と、制御部１１０と、メモリ１２０と、無線通信部１３０と、操作部５０と、表示部３０と、音声入力用のマイクロフォン１４０と、音声出力用のスピーカ１５０とを備えている。
【００１９】
制御部１１０は、例えばＣＰＵと周辺回路とで実現される。制御部１１０は、携帯電話機１００が備える各部の制御を行う。具体的には、制御部１１０は、メモリ１２０に格納されているプログラムに従って無線通信部１３０その他のブロックの制御を行う。
【００２０】
アンテナ７０を介して無線信号の送受信を行う無線通信部１３０は、信号の変復調、周波数変換および電力増幅等を行う機能を有する。すなわち、無線通信部１３０は、無線信号を、アンテナ７０を介して受信して復調する処理を行う。また、無線通信部１３０は、制御部１１０から出力された信号にもとづく変調処理を行い、アンテナ７０を介して無線信号を送信する処理を行う。
【００２１】
操作部５０は、例えば電話番号の入力等を行うためのキーボタンによって実現される。操作部５０は、ユーザの操作に応じた入力信号を制御部１１０に出力する機能を有する。表示部３０は、例えば液晶表示装置によって実現され、携帯電話機１００の折畳時に筐体の内側となる位置に配設される。表示部３０には、例えば待ち受け画面や機能設定画面が表示される。
【００２２】
図３は、脈拍センサ部１０の構成例を示すブロック図である。脈拍センサ部１０は、操作部側筐体４０の側面および背面に設けられている２つの脈拍センサ１１，１２と、脈拍判定部１３とによって実現される。脈拍判定部１３は、脈拍センサ１１，１２によって検出された脈拍が同期しているかどうかを判定する機能を有している。本明細書では、同期は、脈拍センサ１１によって検出された単位時間の脈拍数と脈拍センサ１２によって検出された単位時間あたりの脈拍数とが等しいことを意味する。換言すれば、脈拍の周波数が等しいことを意味する。脈拍判定部１３は、脈拍センサ１１，１２によって検出された脈拍が同期している場合には、脈拍センサ１１の出力または脈拍センサ１２の出力である脈拍を示す信号（脈拍検知信号）を制御部１１０に出力する。脈拍を示す信号はパルス列状の信号である。
【００２３】
図４は、脈拍センサ１１，１２のそれぞれの構成例を示す回路図である。図４に示されている脈拍センサ１１，１２のそれぞれは、発光ダイオード１０ａ、発光ダイオード１０ａから出射されユーザの手や指（図示せず）を透過した光およびユーザの手や指で反射された光を受光するフォトトランジスタ１０ｂ、フォトトランジスタ１０ｂの出力レベルを所定値と比較する演算増幅器（オペアンプ）１０ｃ、および感度設定等の目的で設けられている素子（抵抗およびコンデンサ）で実現される。
【００２４】
次に、本発明による携帯電話機の動作を説明する。図５は、携帯電話機１００の動作を示すフローチャートである。
【００２５】
制御部１１０は、携帯電話機１００に設定された通信制限機能（例えば、発着信を制限する機能）が有効になっている場合には、無線通信部１３０に対する電力供給が断たれる状態に設定する（ステップＳ１０１，Ｓ１０２）。通信制限機能が無効になっている場合には（ステップＳ１０１：ＮＯ）、携帯電話機１００は従来通りの動作（すなわち、音声通話やメールの発着信等）を実行できる状態になっている。なお、携帯電話機１００における通信制限機能の設定は、例えば表示部３０に表示されたメニュー画面に対して、操作部５０から信号を入力することによって設定できる。
【００２６】
ユーザが携帯電話機１００を使用するためにユーザの手や指が携帯電話機１００に接触すると、脈拍センサ１１，１２がユーザの脈拍を検知し、脈拍判定部１３が脈拍を示す信号を制御部１１０に出力する（ステップＳ１０３）。制御部１１０に脈拍を示す信号が入力された場合には、ステップＳ１０５の処理に移行する（ステップＳ１０４）。脈拍を示す信号が入力されない場合には（ステップＳ１０４：ＮＯ）、ステップＳ１０３の処理に戻る。
【００２７】
ステップＳ１０５では、制御部１１０は、無線通信部１３０に対して電力が供給される状態にする。よって、携帯端末装置１００が有している機能の一例である通信機能にもとづく処理の開始が許可されたことになる。そして、制御部１１０は、携帯電話機１００の位置登録を開始する。
【００２８】
位置登録を開始した後、制御部１１０は、基地局からの信号を検出できるかどうか判定する（ステップＳ１０６）。基地局からの信号を検出できた場合には（ステップＳ１０６：ＹＥＳ）、制御部１１０は、表示部３０またはサブ表示部３１に「圏内」であることを示す情報を表示する（ステップＳ１０７）。その場合、携帯電話機１００は、発着信およびデータ通信が可能な状態になっている。
【００２９】
基地局からの信号を検出できない場合（ステップＳ１０６：ＮＯ）、制御部１１０は、表示部３０に「圏外」を示す情報を表示し、ステップＳ１０１の処理に移行する。
【００３０】
ユーザが携帯電話機１００が通話を行って通話を終了すると（ステップＳ１０８：ＹＥＳ）、またはデータ通信が終了すると、制御部１１０は、所定時間（例えば、１０秒）を超えて、ユーザが脈拍センサ１１，１２に接触しているかどうかを判定する（ステップＳ１０９）。ユーザが脈拍センサ１１，１２に接触していると判定した場合、すなわち脈拍を示す信号が入力されている場合には、制御部１１０は、無線通信部１３０に対して電力が供給される状態を維持する（ステップＳ１０９：ＹＥＳ）。所定時間以内に、ユーザ（具体的には手や指）が脈拍センサ１１，１２から離れたと判定した場合には（ステップＳ１０９：ＮＯ）、ステップＳ１０１の処理に移行する。
【００３１】
以上のように、本発明によれば、面倒な電源のオン／オフ操作やセルフモードのオン／オフ操作をしなくても、携帯電話機１００を、通信制限機能が有効になっている状態から、自動的に通信制限機能を解除した状態にすることができる。さらに、本発明による通信制限機能付きの携帯電話機１００では、無線通信部１３０の消費電流を低減することができる。人体検知センサ（脈拍センサ）によって、ユーザの手や指が携帯電話機１００に触れていることを検知した場合にのみ無線通信部１３０を立ち上げ、ユーザの手や指が携帯電話機１００に触れていないときには、無線通信部１３０に対して電力が供給されない状態が維持されるからである。
【００３２】
なお、本実施の形態の携帯電話機１００では、制御部１１０が通話中であるかどうかを判定しているが（ステップＳ１０８）、ステップＳ１０８の処理を実行しないようにしてもよい。
【００３３】
実施の形態２．
次に、第２の実施の形態を図面を参照して説明する。本実施の形態の携帯電話機は、脈拍センサ部１０によって検出されたユーザの脈拍数に応じて、携帯電話機１００が備えている機能を制限する。なお、本実施の形態の携帯電話機は、第１の実施の形態の携帯電話機１００と同じ構成要素を備えている。また、本実施の形態では、携帯電話機１００が備えている機能として、ゲーム機能（ユーザにゲームを行わせる機能）を例にする。
【００３４】
図６は、本実施の形態の携帯電話機１００の動作を示すフローチャートである。制御部１１０は、操作部５０からゲームの開始要求が入力されると（ステップＳ２０１）、所定時間（例えば、１０秒）の脈拍数を測定する（ステップＳ２０２）。すなわち、脈拍センサ部１０から入力される脈拍を示す信号（パルス）を所定時間に亘って計数する。
【００３５】
脈拍数が第１のしきい値以下である場合には、いずれのゲームの開始が要求されている場合にも、制御部１１０は、ゲームの開始を許可する（ステップＳ２０３，Ｓ２０４）。第１のしきい値は、一例として、一般的な平均脈拍数（例えば、１０秒当たりで１２）よりも１５％多い数である。また、脈拍数が第１のしきい値を超えている場合には、制御部１１０は、脈拍数が第２のしきい値以下であるか否か判定する（ステップＳ２０５）。なお、ゲームの開始が許可されたときには、制御部１１０は、ゲームソフトウェアにもとづく処理を開始して、ユーザがゲームを行える状態にする。すなわち、携帯端末装置１００が有している機能の一例であるゲーム機能にもとづく処理の開始が許可されたことになる。
【００３６】
脈拍数が第２のしきい値以下である場合には、開始が要求されているゲームが簡易なゲームである場合には、制御部１１０は、そのゲームの開始を許可する（ステップＳ２０６）。脈拍数が第２のしきい値を超えている場合には、制御部１１０は、いずれのゲームの開始が要求されている場合にも、ゲームの開始を許可しない（ステップＳ２０７）。
【００３７】
第２のしきい値は、第１のしきい値よりも大きい値であるが、一例として、一般的な平均脈拍数（例えば、１０秒当たりで１２）よりも３０％多い数である。また、簡易なゲームであるか否かは、例えば、ゲームソフトウェアが携帯電話機１００にインストールされたときに、ユーザによって設定可能であるようにしてもよいし、携帯電話機１００に判断ソフトウェアを組み込むようにして、判断基準データを含むゲームソフトウェアが携帯電話機１００にインストールされたときに、制御部１１０が、判断ソフトウェアにもとづいて判断するようにしてもよい。
【００３８】
本実施の形態では、ゲームの開始要求がなされたときに、ユーザの脈拍数に応じてゲームの開始を許可するか否かを携帯電話機１００が自動的に決定する。よって、脈拍数が高いときには、興奮度が高いと想定されるゲームの開始を許可しないといった使用方法を実現することができる。また、ゲーム機能を制限するときに、ユーザを煩わすこともない。
【００３９】
なお、本実施の形態では、脈拍数に応じて制限される機能としてゲーム機能を例にしたが、脈拍数に応じて制限される機能はゲーム機能に限られない。例えば、通信機能を制限したり、カメラを備えている携帯電話機におけるカメラ機能を制限するようにしてもよい。通信機能を制限する場合には、一例として、通信制限機能が有効になっているときに、脈拍数が第１のしきい値以下である場合には通信制限機能を全く無効にし、脈拍数が第１のしきい値を超えているが第２のしきい値以下である場合には電子メール機能に関する通信制限機能を維持し、脈拍数が第２のしきい値を超えている場合には、全ての通信制限機能を有効のままにする。
【００４０】
実施の形態３．
次に、第３の実施の形態を図面を参照して説明する。本実施の形態の携帯電話機は、脈拍センサ部によって検出されたユーザの脈拍数が過去に検知した脈拍数の平均値よりも大きい場合には、携帯電話機が備えている機能を制限する。なお、本実施の形態の携帯電話機１００は、第１の実施の形態の携帯電話機１００と同じ構成要素を備えている。また、本実施の形態では、携帯電話機１００が備えている機能として、ゲーム機能を例にする。
【００４１】
図７は、本実施の形態の携帯電話機１００の動作を示すフローチャートである。制御部１１０は、操作部５０からゲームの開始要求が入力されると（ステップＳ３０１）、所定時間（例えば、１０秒）の脈拍数を測定する（ステップＳ３０２）。すなわち、脈拍センサ部１０から入力される脈拍を示す信号を所定時間に亘って計数する。
【００４２】
制御部１１０は、脈拍の計数値を、脈拍数としてメモリ１２０の不揮発性記憶部に格納する（ステップＳ３０３）。また、制御部１１０は、メモリ１２０から、過去に格納された脈拍数を読み出して、読み出した脈拍数の平均値を計算する（ステップＳ３０４）。
【００４３】
ステップＳ３０２の処理で測定された脈拍数が、ステップＳ３０４の処理で計算された平均値に対して、所定の程度（例えば、平均値の１．１倍）を超えて大きい場合には、いずれのゲームの開始が要求されている場合にも、制御部１１０は、ゲームの開始を許可しない（ステップＳ３０５，Ｓ３０７）。所定の程度以下である場合には、いずれのゲームの開始が要求されている場合にも、制御部１１０は、ゲームの開始を許可する（ステップＳ３０５，Ｓ３０６）。
【００４４】
以上のように、本実施の形態では、ゲームの開始要求がなされたときに、ユーザの脈拍数に応じてゲームの開始を許可するか否かを携帯電話機１００が自動的に決定する。よって、脈拍数が平均値よりも所定の程度を超えて大きいときには、ゲームの開始を許可しないといった使用方法を実現することができる。また、ゲーム機能を制限するときに、ユーザを煩わすこともない。
【００４５】
なお、本実施の形態では、測定された脈拍数が所定の程度を超えているか否かに応じて、全てのゲーム機能の開始が許可されるか、または全てのゲーム機能の開始が許可されないように制御された。しかし、第２の実施の形態の場合と同様に、複数のしきい値を設け、測定された脈拍数の平均値に対する程度に応じて、一部のゲーム機能の開始を禁止したり全てのゲーム機能の開始を禁止したりしてもよい。その場合には、脈拍数が平均値よりも所定の程度を超えて高いときには、興奮度が高いと想定されるゲームの開始を許可しないといった使用方法を実現することができる。
【００４６】
また、本実施の形態では、脈拍数に応じて制限される機能としてゲーム機能を例にしたが、脈拍数に応じて制限される機能はゲーム機能に限られない。例えば、通信機能を制限したり、カメラを備えている携帯電話機におけるカメラ機能を制限するようにしてもよい。
【００４７】
また、第２の実施の形態の携帯電話機および第３の実施の形態の携帯電話機は、第１の実施の形態の携帯電話機の機能（通信制限機能およびそれを無効にする機能）を備えていてもよい。
【００４８】
また、上記の各実施の形態では、携帯端末装置として折畳式の携帯電話機１００を例にしたが、本発明は、折畳式の携帯電話機１００だけでなく、ストレート型の携帯電話機にも適用可能である。また、携帯電話機に限らず、ＰＤＡ等の携帯端末装置にも適用可能である。
【産業上の利用可能性】
【００４９】
本発明を、通信機能制限等を行う機能を有する携帯電話機等の携帯端末装置に適用できる。
【図面の簡単な説明】
【００５０】
【図１】（ａ）は本発明による携帯端末装置の一例を示す斜視図であり、（ｂ）は背面図である。
【図２】携帯電話機の一構成例を示すブロック図である。
【図３】脈拍センサ部の一構成例を示すブロック図である。
【図４】脈拍センサの一構成例を示す回路図である。
【図５】携帯電話機の動作を示すフローチャートである。
【図６】第２の実施の形態の携帯電話機の動作を示すフローチャートである。
【図７】第３の実施の形態の携帯電話機の動作を示すフローチャートである。
【符号の説明】
【００５１】
１０  脈拍センサ部
１１，１２  脈拍センサ
１３  脈拍判定部
２０  表示部側筐体
３０  表示部
３１  サブ表示部
４０  操作部側筐体
５０  操作部
６０  ヒンジ部
７０  アンテナ
１００  折り畳み式携帯電話機
１１０  制御部
１２０  メモリ
１３０  無線通信部
１４０  音声入力用マイクロフォン
１５０  音声出力用スピーカ
【図１】
2008154028.tif 000003
【図２】
2008154028.tif 000004
【図３】
2008154028.tif 000005
【図４】
2008154028.tif 000006
【図５】
2008154028.tif 000007
【図６】
2008154028.tif 000008
【図７】
2008154028.tif 000009